(57)【特許請求の範囲】
【請求項１】
（イ）水道水から成る原水を通過させて該原水を浄化する浄化フィルタと、（ロ）弁体の移動により原水通路の原水の流れを該浄化フィルタを通過し、浄水通路を経て浄水吐水口に到る流れから該浄化フィルタを通過せずに直接原水吐水口に到る流れ若しくはその逆に切り替える切替弁とを有し、該切替弁の作動により原水吐水と浄水吐水とを切り替えるようになした浄水装置において、
前記切替弁が前記原水の流れを前記浄水通路側に切り替えている状態で前記原水通路内の圧力が通常圧力よりも上昇したとき該圧力を逃す圧力逃し機構を該切替弁に設けてあり、
該圧力逃し機構は、前記切替弁に備えられ、前記原水通路と前記原水吐水口との間をシールする弾性を有する弁シートを含んでおり、該弁シートの部分的な弾性変形により該原水通路と該原水吐水口とを連通させて過大な圧力を逃すようになしてあることを特徴とする浄水装置。
【請求項２】
請求項１において、前記切替弁が前記浄化フィルタの下流部に配設してあることを特徴とする浄水装置。
【請求項３】
請求項１，２の何れかにおいて、前記切替弁がシリンダ式の弁であって回転運動する円筒状の弁体と、該弁体に水密に外嵌する弁ケーシングとを有していて、前記弁シートが該弁体と弁ケーシングとの間に設けてあることを特徴とする浄水装置。
【請求項４】
請求項１〜３の何れかにおいて、前記弁シートは水路を連通させる弁開口の周りを取り囲む環状のリップ部を有しているとともに、該リップ部が一部切り欠かれていて部分的に薄肉とされていることを特徴とする浄水装置。
【発明の詳細な説明】
【０００１】
【発明の属する技術分野】
この発明は水道水を浄化フィルタに通して浄化を行う浄水装置に関する。
【０００２】
【従来の技術】
水道水中には微細な砂，赤錆等濁りの元となる成分や殺菌用の塩素に起因するカルキ臭とか黴臭とかの臭い元となる成分が含まれている。
そこで従来、水道水（原水）を浄水装置に通して浄化した上で使用することが行われている。
【０００３】
従来この種浄水装置としては、これを水栓とは別体の単体のユニットとして構成し、これを水栓の蛇口、即ち吐水管の先端部に後付けで取り付けて使用するものや、或いは図１３に示しているようにこれをキッチン等のキャビネット内に設置し、水栓２００からの水道水をこの浄水装置２０２に導いてここで浄化し、浄水とした上で再び水栓２００に戻して、吐水管２０４の先端部から吐水するようになしたもの等が知られている。
【０００４】
ところで前者の浄水装置の場合、これを水栓の吐水管先端部に装着すると吐水管先端部分が不自然に大型化してしまって美観が損なわれてしまうといった問題が内在している。
他方、図１３に示す後者のビルトインタイプと称される浄水装置２０２の場合、こうした問題は解決できるものの浄水装置２０２の設置によってキャビネット内部が煩雑化し、また浄水装置２０２の設置によってキャビネット内部の収納空間が狭められてしまうといった問題が内在する。
【０００５】
近年キャビネット内の収納空間をできるだけ広く使おうとする傾向にあり、このような中にあってビルトインタイプの浄水装置２０２を設置することが困難な場合も生じて来る。
他方、キッチン等のカウンター上に通常の水栓と併せて、浄水専用の水栓を設置するといったことも行われている。
【０００６】
しかしながらこの場合、通常の水栓と浄水専用の水栓との２つの水栓が必要となり、カウンター上のスペースがそれら水栓にて広く占有されてしまうとともにコストも高くなるといった問題がある。
このような中にあって、水道水から成る原水を浄化する機構を水栓に内蔵させること、即ち浄水装置を水栓に一体的に組み込んだものも提案されている（特開２００１−１７３４２号）。
【０００７】
この浄水装置付きの水栓は、図１４，図１５に示しているように可撓性のホースとともに引出可能な吐水ヘッド２０６の内部に浄化フィルタ２０８を収容するとともに、その下流部において浄水と原水（水道水）とを切り替える切替弁２１０とその切替操作部（押ボタン式の操作部）２１２とを設け、更にその下流部にストレート吐水とシャワー吐水とを切り替える切替弁２１４とその切替操作部（レバー式の操作部）２１６とを設けたものである。
【０００８】
この浄水装置付きの水栓では、図１６にも示しているように先ず押ボタン式の切替操作部２１２を操作して切替弁２１０により吐水を原水吐水から浄水吐水に若しくはその逆に切り替え、更にまたレバー式の切替操作部２１６を操作してその下流部に位置する切替弁２１４により吐水をストレート吐水からシャワー吐水に若しくはその逆に切り替えるといったものである。
【０００９】
【発明が解決しようとする課題】
従来にあっては浄水装置としてその他様々な構造，形態のものが提案されているが、これら浄水装置は水道水を浄化フィルタに通して浄化を行う関係上、次のような困難な問題が内在している。
【００１０】
即ち、水道水から成る原水を通過させてこれを浄化させる浄化フィルタと、弁体の移動により原水通路の原水の流れを浄化フィルタを通過し、浄水通路を経て浄水吐水口に到る流れから浄化フィルタを通過せずに直接原水吐水口に到る流れ若しくはその逆に切り替える切替弁とを有し、その切替弁の作動により原水吐水と浄水吐水とを切り替えるようになした浄水装置においては、使用を続けるうちに浄化フィルタが目詰りを生じるようになり、この結果浄化フィルタを通過しようとする原水の流れに対し浄化フィルタの抵抗が次第に大きくなっていく。
【００１１】
そして浄化フィルタの目詰りに伴う抵抗の増大によって原水通路の圧力が過大となり、各種不都合を惹起するといった問題が内在しているのである。
【００１２】
【課題を解決するための手段】
本発明の浄水装置はこのような課題を解決するために案出されたものである。
而して請求項１のものは、（イ）水道水から成る原水を通過させて該原水を浄化する浄化フィルタと、（ロ）弁体の移動により原水通路の原水の流れを該浄化フィルタを通過し、浄水通路を経て浄水吐水口に到る流れから該浄化フィルタを通過せずに直接原水吐水口に到る流れ若しくはその逆に切り替える切替弁とを有し、該切替弁の作動により原水吐水と浄水吐水とを切り替えるようになした浄水装置において、前記切替弁が前記原水の流れを前記浄水通路側に切り替えている状態で前記原水通路内の圧力が通常圧力よりも上昇したとき該圧力を逃す圧力逃し機構を該切替弁に設けてあり、該圧力逃し機構は、前記切替弁に備えられ、前記原水通路と前記原水吐水口との間をシールする弾性を有する弁シートを含んでおり、該弁シートの部分的な弾性変形により該原水通路と該原水吐水口とを連通させて過大な圧力を逃すようになしてあることを特徴とする。
【００１３】
請求項２のものは、請求項１において、前記切替弁が前記浄化フィルタの下流部に配設してあることを特徴とする。
【００１４】
請求項３のものは、請求項１，２の何れかにおいて、前記切替弁がシリンダ式の弁であって回転運動する円筒状の弁体と、該弁体に水密に外嵌する弁ケーシングとを有していて、前記弁シートが該弁体と弁ケーシングとの間に設けてあることを特徴とする。
【００１５】
請求項４のものは、請求項１〜３の何れかにおいて、前記弁シートは水路を連通させる弁開口の周りを取り囲む環状のリップ部を有しているとともに、該リップ部が一部切り欠かれていて部分的に薄肉とされていることを特徴とする。
【００１６】
【作用及び発明の効果】
上記のように本発明は、切替弁が原水の流れを浄水通路側に切り替えている状態で原水通路の圧力が通常圧力もよりも上昇したときその過大な圧力を逃す圧力逃し機構を切替弁に設けたもので、本発明によれば浄化フィルタが目詰りを起した場合であっても、圧力逃し機構の作用で原水通路の圧力が過大になるのを良好に防止することができる。
従ってその過大な圧力の発生に起因する各種不都合の発生を回避することができる。
【００１７】
本発明では、上記圧力逃し機構が切替弁に備えられた、原水通路と原水吐水口との間をシールする弾性を有する弁シートを含み、その弁シートの部分的な弾性変形により原水通路と原水吐水口とを連通させて過大な圧力を逃すようになしており、このようにすることで、簡単な構造で圧力逃し機構を構成することができ且つ効果的に原水通路の過大な圧力を逃すことができる。
【００１８】
本発明は、浄化フィルタの下流部に切替弁が配設してある浄水装置に対し好適に適用することができる（請求項２）。
【００１９】
本発明においてはまた、上記切替弁を、回転運動する円筒状の弁体とその弁体に水密に外嵌する弁ケーシングとを有するシリンダ式の弁となすことができる（請求項３）。
【００２０】
本発明において上記弁シートは、水路を連通させる弁開口の周りを取り囲む環状のリップ部を有するものとなし、そのリップ部を一部切り欠いて部分的に薄肉となしておくことができる（請求項４）。
このようにした場合、その薄肉部分でリップ部によるシール機能が相対的に低くなり、従って原水通路の圧力が高まるとその薄肉部分で容易に圧力を外部へと逃すことができる。
【００２１】
【実施例】
次に浄水装置を水栓に一体に組み込んだ場合を例として本発明の実施例を図面に基づいて以下に詳しく説明する。
【００２２】
図１において、１０はキッチン水栓として用いられるシングルレバー式の水栓（混合水栓）で、１２は吐止水及び吐水の水量調節と温度調節とを行うための主弁を内蔵した水栓本体で、１４はその上部に回動可能に設けられたシングルレバー式の操作部である。
この水栓１０では、操作部１４を左右回動操作することで吐水の温度調節が行われ、また上下に回動操作することで吐止水及び吐水の水量調節が行われる。
【００２３】
１６は水栓本体１２から延び出した吐水管で、水栓本体１２に固定の吐水管本体１８と、その先端側の吐水ヘッド２０とを有している。
ここで吐水ヘッド２０は可撓性のホース２２とともに吐水管本体１８から引出可能且つ引出状態において三次元に位置移動可能とされている。
【００２４】
この吐水ヘッド２０の先端部には、後に詳述する原水ストレート吐水，原水シャワー吐水及び浄水ストレート吐水を切替操作するためのレバー式且つ回転式の切替操作部２４が外部に突き出す状態で設けられている。
【００２５】
上記吐水ヘッド２０は、図２に示しているようにグリップ部２６とその先端側の頭部２８とを有しており、そのグリップ部２６の基端部にホース２２がシール部材３０によるシールの下に水密に接続固定されている。
ここでホース２２は、吐水管本体１８の中心部に形成されたホース挿通孔３２内部に軸方向に摺動可能に挿通されている。
【００２６】
この吐水管本体１８の先端部には差込凸部３４が設けられている。
一方吐水ヘッド２０の側には対応する差込凹部３６が形成されており、その差込凹部３６に差込凸部３４を差し込むようにして吐水ヘッド２０が吐水管本体１８の先端部に嵌められ且つ保持されるようになっている。
この例では吐水ヘッド２０が同時に浄水装置を成している。
【００２７】
この吐水ヘッド２０において、グリップ部２６は外筒３８と内筒４０との二重筒構造をなしており、その内部に原水（水道水）を通過させることによってこれを浄化する浄化フィルタ４２が収容されている。
浄化フィルタ４２は全体として円筒形状をなす部材であって、中心部の円筒形状の多孔質のセラミックフィルタ４４を有しており、これを支持体としてその外面に珪藻土４６の層が、更にその外面に活性炭４８の層が積層形成され、その外周面に不織布５０が巻き付けられている。
【００２８】
この浄化フィルタ４２は前後端に非通水性のエンドキャップ５２，５４を有している。
これらエンドキャップ５２，５４はそれぞれ透光性の部材にて構成されており、これらエンドキャップ５２，５４を通じて浄化フィルタ４２の端面、具体的にはセラミックフィルタ４４，珪藻土４６の層,活性炭４８の層,不織布５０の層の端面を外部から目視観察できるようになっている。
即ちこれらエンドキャップ５２，５４を通じて浄化フィルタ４２の各層の汚れ具合を目視観察できるようになっている。
【００２９】
これらエンドキャップ５２，５４の外周面には周方向に所定間隔でリブ５６が形成されており、それらリブ５６の外周端が内筒４０の内周面に当接するようになっている。
即ちこれらリブ５６によって浄化フィルタ４２の外周側、詳しくは浄化フィルタ４２の外周面とグリップ部２６における内筒４０の内周面との間に原水通路５８Ａが形成されている。
また浄化フィルタ４２におけるセラミックフィルタ４４の内側に浄水通路６０Ａが形成されている。
【００３０】
上記頭部２８には、図２及び図３に示しているようにその下面に、原水を整流束としてストレート吐水する原水ストレート吐水口６２，原水をシャワー水としてシャワー吐水する原水シャワー吐水口６４及び浄水を整流束としてストレート吐水する浄水ストレート吐水口６６がそれぞれ別々に設けられている。
またそれら各吐水口６２，６４，６６に連通して原水ストレート通路６８，原水シャワー通路７０及び浄水ストレート通路７２がそれぞれ形成されている。
【００３１】
上記浄化フィルタ４２の下流側であって頭部２８の内部には、原水ストレート吐水，原水シャワー吐水及び浄水ストレート吐水を切り替えるための切替弁７４（図４参照）が配設されている。
この切替弁７４はシリンダ式の弁であって、図４及び図６に示しているように段付形状且つ円筒状をなす弁体７６と、これに水密に外嵌する弁ケーシング７８とを有している。
【００３２】
弁体７６は軸方向に突き出す軸部８０を有しており、この軸部８０に対しレバー式且つ回転式の切替操作部２４の基部８２及びスペーサリング８４が一体回転状態に嵌合されている。
即ち、軸部８０の外周には雄スプライン部８６が形成される一方、切替操作部２４の基部８２及びスペーサリング８４の内周には雌スプライン部８８が形成されていて、それらが互いに噛み合う状態に軸部８０と基部８２及びスペーサリング８４とが嵌合され、それらスプライン部８６，８８の噛合いに基づいて軸部８０と基部８２及びスペーサリング８４とが一体回転するようになっている。
尚、軸部８０には雌ねじ孔９０が形成されていてそこに固定ねじ９２がねじ込まれ、以って軸部８０、即ち弁体７６と切替操作部２４とが軸方向に締結固定されている。
【００３３】
上記弁体７６には軸方向の異なった位置に大径部と小径部とが形成されており、その大径部によって原水弁部９４が、また小径部によって浄水弁部９６がそれぞれ構成されている。
原水弁部９４の内部空間，浄水弁部９６の内部空間はそれぞれ原水室９８，浄水室１００とされており、それらが仕切部材１０２にて軸方向に水密に仕切られている。
【００３４】
尚、原水弁部９４側の末端の開放部は閉鎖部材１０４にて閉鎖されている。
この閉鎖部材１０４には断面三角形状の仕切押え１０６が形成されており、その仕切押え１０６によって仕切部材１０２が軸方向に押えられている。
【００３５】
上記弁ケーシング７８には、図４及び図６に示しているように原水通路５８Ａからの原水を原水弁部９４の内側の原水室９８内部に流入させるための通水用の開口１０８と、浄水通路６０Ａからの浄水を浄水弁部９６の内側の浄水室１００内部に流入させるための通水用の開口１１０とが形成されている。
【００３６】
この弁ケーシング７８にはまた、円筒形状の差込嵌合部１１２が一体に形成されており、この差込嵌合部１１２がグリップ部２６における内筒４０の先端部内周面にＯリング１１４を介して水密に差込嵌合されている。
即ちこの差込嵌合部１１２を介して、弁ケーシング７８とグリップ部２６の内筒４０とが水密に接続されている。
【００３７】
１１６は弁ケーシング７８に形成された浄水を流入させるための通水用の開口１１０と、浄化フィルタ４２の中心部の浄水通路６０Ａとを連絡する連絡管であって、大径部１１８とこれより偏心した位置に形成された小径部１２０とを有しており、その大径部１１８の内部に、上記エンドキャップ５２に設けられた嵌合凸部１２２がＯリング１１４を介して水密に嵌合されている。
また小径部１２０が弁ケーシング７８に形成された嵌合凹部１２４内にＯリング１１４を介して水密に嵌合されている。
【００３８】
ここで連絡管１１６は、図４及び図６に示しているようにその内部に浄水通路６０Ａに続く浄水通路６０Ｂを形成しており、またその外側に、詳しくは差込嵌合部１１２との間に原水通路５８Ａに続く原水通路５８Ｂを形成している。
【００３９】
上記弁ケーシング７８には、弁体７６における原水弁部９４内部の原水室９８を上記原水ストレート通路６８に連通させるための原水ストレート吐水用開口１２６と、原水シャワー通路７０に連通させるための原水シャワー吐水用開口１２８とが半径方向に貫通する状態で設けられている。
また一方浄水弁部９６側においては、浄水室１００を浄水ストレート通路７２に連通させるための浄水用開口１３０が半径方向に貫通する状態で設けられている。
【００４０】
上記弁体７６における原水弁部９４は、原水ストレート弁部及び原水シャワー弁部を兼ねたものであって、図５にも示しているように弁ケーシング７８における開口１０８からの原水を原水室９８内に流入させるための通水用の開口１３２と、原水室９８を弁ケーシング７８における原水ストレート吐水用開口１２６又は原水シャワー吐水用開口１２８を経て、原水ストレート通路６８又は原水シャワー通路７０に連通させるための通水用の開口１３４とが半径方向に貫通する状態で設けられている。
ここで開口１３２は回転方向に長い長穴形状とされている。
【００４１】
また一方浄水弁部９６には、弁ケーシング７８における開口１１０からの浄水を浄水室１００内に流入させるための通水用の開口１３６と、浄水室１００を弁ケーシング７８における浄水用開口１３０を経て浄水ストレート通路７２に連通させるための通水用の開口１３８とが半径方向に貫通する状態で設けられている。
【００４２】
図６に示しているように、弁ケーシング７８における内面には弾性を有する一対の弁シート１４０，１４２が装着されている。
これら弁シート１４０，１４２は平面形状が四角形状をなすもので、図５に示しているように弁ケーシング７８の内面に形成された対応する形状の凹陥部にそれぞれ嵌込み状態に装着されている。
【００４３】
而して一方の弁シート１４０は浄水弁部９６用のもので、図５及び図６に示しているように浄水用開口１３０を取り囲む環状のリップ部１４４を有しており、そのリップ部１４４の先端部分を弁体７６、詳しくは浄水弁部９６の外周面に全周に亘り均等な弾性力で弾性接触させている。
【００４４】
他方弁シート１４２は原水弁部９４用のもので、原水ストレート吐水用開口１２６を取り囲む環状のリップ部１４６Ａと、原水シャワー吐水用開口１２８を取り囲む環状のリップ部１４６Ｂとを有しており、それらリップ部１４６Ａ，１４６Ｂの先端部分を弁体７６における原水弁部９４の外周面に弾性接触させている。
【００４５】
本例において弁シート１４２の一方のリップ部１４６Ｂは、図７に示しているように周方向の所定部分がその立ち上がり方向に切り欠かれており、その切欠部１４８においてリップ部１４６Ｂが内外方向（リップ部１４６の半径方向）に薄肉とされている。
即ちリップ部１４６Ｂにおける切欠部１４８形成部分において弁体７６の原水弁部９４外周面に対する接触面積が他部に比べて小さくされている。
【００４６】
本例において弁シート１４２及び切欠部１４８は圧力逃し機構を構成するもので、浄化フィルタ４２の目詰りにより原水通路５８の圧力（この圧力は切替弁７４の原水弁部９４に作用している）が通常圧力よりも高くなったとき、リップ部１４６Ｂにおける切欠部１４８形成部分を弾性変形させることで、更にはまた切欠部１４８形成部分におけるシール面積が少ないことで、図８に示しているように同部分を通じて原水通路５８の原水を原水シャワー吐水用開口１２８側へと逃し、原水通路５８の圧力が過大となるのを防止する。
【００４７】
尚ここではリップ部１４６Ａ，１４６Ｂのうち一方のリップ部１４６Ｂに切欠部１４８を設けているが、場合によって切欠部１４８をリップ部１４６Ａ側に設けること、更にはそれらの何れにも設けることも可能である。
【００４８】
次に本例の浄水装置を一体に組み込んだ水栓１０の作用を図９及び図１０に基づいて以下に具体的に説明する。
図９(Ｉ)及び図１０(Ｉ)は原水のストレート吐水状態を示している。
このときレバー式且つ回転式の切替操作部２４は最も上方に持ち上げられた状態にあり、また切替弁７４は、切替操作部２４の操作に基づいて図９（Ｉ）に示しているように弁体７６における原水弁部９４の長穴形状の開口１３２を弁ケーシング７８の開口１０８に連通させ、また弁体７６における開口１３４を弁ケーシング７８の原水ストレート吐水用開口１２６に連通させた状態にある。
また浄水弁部９６は弁ケーシング７８の開口１１０を閉鎖した状態にある。
【００４９】
従ってこの状態の下では、グリップ部２６内部の浄化フィルタ４２外周側に形成された原水通路５８Ａからの原水が、切替弁７４を経て原水ストレート通路６８及び原水ストレート吐水口６２へと到り、そこから下向きに整流束としてストレート吐水される。
このとき当然ながら浄水ストレート吐水口６６からの浄水の吐水は行われない。
【００５０】
次にこの状態から切替操作部２４を図９（II）の中間位置まで下向きに回転させると、図９（II）及び図１０(II)に示しているように弁体７６における開口１３２と弁ケーシング７８の開口１０８との連通を保った状態で、弁体７６における開口１３４が弁ケーシング７８の原水シャワー吐水用開口１２８に一致する状態となり、ここにおいて原水通路５８Ａからの原水が、今度は原水シャワー通路７０及び原水シャワー吐水口６４に導かれて、そこより下方にシャワー水として吐水される。
尚図１０（II）に示しているように、このときにも切替弁７４における弁体７６の浄水弁部９６は浄水の通路を遮断した状態にあり、従って浄水ストレート吐水口６６からの浄水の吐水は行われない。
【００５１】
この状態から図９(III)及び図１０(III) に示しているように切替操作部２４を更に下向きに回転操作すると、ここにおいてそれらの図に示しているように切替弁７４により原水の通路が遮断される一方、浄水の通路が開放される。
【００５２】
このとき原水通路５８Ａ内の原水は、原水の通路が切替弁７４によって遮断された状態となるため給水圧によって浄化フィルタ４２を半径方向に突き抜け、その中心部に形成されている浄水通路６０Ａへと到る。
そしてこの浄化フィルタ４２を通過することによって原水の浄化が行われる。
【００５３】
而して浄化フィルタ４２を通過して浄化された後の浄水は、浄化フィルタ４２内部の浄水通路６０Ａから弁ケーシング７８の開口１１０及び弁体７６における開口１３６を通じて浄水室１００内に流入し、更にその浄水室１００から弁体７６の開口１３８及び弁ケーシング７８の浄水用開口１３０を経て浄水ストレート通路７２へと流出し、更にその先端の浄水ストレート吐水口６６から下向きに整流束としてストレート吐水される。
【００５４】
上記浄化フィルタ４２は、当初は目詰りが無く良好に原水を半径方向に通過させるが、使用を続けているうちに次第に目詰りを生じるようになる。
浄化フィルタ４２が目詰りを生じるようになると、この浄化フィルタ４２を原水が通過する際の抵抗が大きくなり、そしてその抵抗の増大に基づいて原水通路５８の圧力が高くなる。
【００５５】
そしてその圧力がある一定圧以上に高くなったとき上記のように圧力逃し機構が働いて、原水通路５８の原水を弁シート１４２を通じて、具体的にはリップ部１４６Ｂにおける切欠部１４８形成部分を通じて逃し、原水通路５８内に過大な圧力が篭るのを防止する。
【００５６】
尚図１１は本例の水栓１０における水の流れを模式的に表したもので図示にように本例の浄水装置を組み込んだ水栓１０の場合、１つの切替弁７４の切替操作によって原水ストレート吐水，原水シャワー吐水及び浄水ストレート吐水が切り替えられ、それぞれが別々の吐水口６２，６４，６６より外部に吐水される。
【００５７】
本例の浄水装置は、切替弁７４が原水の流れを浄水通路６０Ｂ側に切り替えている状態で、原水通路５８側の圧力が通常圧力もよりも上昇したとき、その過大な圧力を弁シート１４２及び切欠部１４８を含む圧力逃し機構が切替弁７４に設けてあるため、浄化フィルタ４２が目詰りを起した場合であっても、原水通路５８側の圧力が過大になることはなく、従ってその過大な圧力の発生に起因する各種不都合の発生を回避できる。
【００５８】
また本例では、弁シート１４２の弾性変形により過大な圧力を逃すようになしているため、簡単な構造で圧力逃し機構を構成できる。
更にまた本例によれば圧力逃し機構の作用で、水の流れを浄水通路６０側に切り替えているにも拘らず原水シャワー吐水口６４より水が漏れ出て来ることで、浄化フィルタ４２に目詰りが生じていることを使用者が容易に分る利点がある。
【００５９】
図１２は本発明の他の実施例を示したもので、この例は弾性を有する弁シート１４２の一方のリップ部１４６Ｂに部分的に、即ちリップ部１４６Ｂにおける先端部分の周方向所定箇所にこれを内外方向（リップ部１４６Ｂの半径方向）に貫通する切欠部１４８を設け、リップ部１４６Ｂにおける切欠部１４８形成部分を部分的に立ち上がり方向に薄肉となしたものである。
【００６０】
この例の場合、切欠部１４８形成部分においてリップ部１４６Ｂの原水弁部９４の外周面に対する弾性圧縮量が少なくなる。
この例においても弁シート１４２及び切欠部１４８が圧力逃し機構を構成している。
従ってこの例においても上記とほぼ同様の機構によって過大な圧力を逃すことができる。
【００６１】
以上本発明の実施例を詳述したがこれはあくまで一例示であり、本発明は場合によって切替弁７４が浄化フィルタ４２の上流側に設けられている浄水装置に対して適用することも可能であるし、また水栓に一体に組み込まれた浄水装置だけでなく、浄水装置が水栓１０とは別体で単体のユニットとして構成されたものに対して適用することも可能であるなど、本発明はその主旨を逸脱しない範囲において種々変更を加えた形態で構成可能である。
【図面の簡単な説明】
【図１】  本発明の一実施例である浄水装置を水栓に組み込んだ状態且つ外観状態で示す図である。
【図２】  同実施例の吐水ヘッドの内部構造を示す図である。
【図３】  図２に示す構造を各部材に分解した状態で示す図である。
【図４】  図２の吐水ヘッドの先端部の内部構造を拡大して示す図である。
【図５】  図４に示す切替弁の作用説明図である。
【図６】  図４の要部を各部材に分解して示す図である。
【図７】  図６の原水弁部用の弁シートを拡大して示す図である。
【図８】  図７に示す弁シートの作用説明図である。
【図９】  同じ実施例の作用を内部の切替弁の作動状態とともに断面図で示す図である。
【図１０】  同じ実施例の作用を切替弁の作動状態と切替操作部の操作状態とを関連させて示した図である。
【図１１】  同じ実施例の切替弁による切替機能を模式化して示す図である。
【図１２】  図７とは異なる原水弁部用の弁シートを拡大して示す図である。
【図１３】  従来のビルトインタイプの浄水装置をキャビネット内に設置した状態で示す図である。
【図１４】  従来公知の浄水装置付きの水栓の要部を一部切り欠いて示す図である。
【図１５】  図１４の浄水装置付きの水栓の要部を示す図である。
【図１６】  図１４及び図１５の浄水装置付きの水栓の吐水状態を示す図である。
【符号の説明】
１０  水栓
２０  吐水ヘッド
２２  ホース
４２  浄化フィルタ
５８Ａ，５８Ｂ  原水通路
６０Ａ，６０Ｂ  浄水通路
６２  原水ストレート吐水口
６４  原水シャワー吐水口
６６  浄水ストレート吐水口
７４  切替弁
７６  弁体
７８  弁ケーシング
１２６  原水ストレート吐水用開口
１２８  原水シャワー吐水用開口
１３０  浄水用開口
１４２  弁シート（圧力逃し機構）
１４６Ａ，１４６Ｂ  リップ部
１４８  切欠部（圧力逃し機構）
【図１】
0004263856.tif 000002
【図２】
0004263856.tif 000003
【図３】
0004263856.tif 000004
【図４】
0004263856.tif 000005
【図５】
0004263856.tif 000006
【図６】
0004263856.tif 000007
【図７】
0004263856.tif 000008
【図８】
0004263856.tif 000009
【図９】
0004263856.tif 000010
【図１０】
0004263856.tif 000011
【図１１】
0004263856.tif 000012
【図１２】
0004263856.tif 000013
【図１３】
0004263856.tif 000014
【図１４】
0004263856.tif 000015
【図１５】
0004263856.tif 000016
【図１６】
0004263856.tif 000017